(57)【特許請求の範囲】
【請求項１】
建物の床面と天井面との間に立設される間仕切パネルと、上記床面に取り付けられ、上記間仕切パネルの下縁に係合するパネル取付用部材とからなる間仕切構造であって、
上記間仕切パネルは、このパネルの周縁をなす枠材と、この枠材を挟む一対の面材とを備え、上記枠材の下縁は上記面材の下辺よりも下方に突出してなり、
上記パネル取付用部材は、上記間仕切パネルの下縁に沿って長手方向に延び、上面に上記間仕切パネルの下縁を収容する断面凹状の溝を有しているとともに、上記溝を通り上記長手方向に延びる分割面で分割可能であり、かつ、このパネル取付用部材の厚みが上記間仕切パネルの厚みと略同じであり、
上記間仕切パネルの下縁とパネル取付用部材との間に、上記間仕切パネルを上記天井面へ押し付けるための押圧手段が設けられており、
上記間仕切パネルの各面材の下辺と、上記パネル取付用部材の各上端との間に、目地詰めゴムが各々設けられていることを特徴とする間仕切構造。
【請求項２】
請求項１に記載の間仕切構造において、
上記押圧手段は上記パネル取付用部材に対して鉛直方向に螺合されたボルトからなることを特徴とする間仕切構造。
【発明の詳細な説明】
【０００１】
【発明の属する技術分野】
この発明は間仕切構造に関する。より詳しくは、住宅、事務所建物等の建築物の内部を仕切る間仕切構造に関する。
【０００２】
【従来の技術および発明が解決しようとする課題】
一般に、集合住宅、事務所建物等の間仕切の施工は大掛かりで、素人には簡単には行うことができない。また、長年同じ住戸に居住していると、子供の成長などに伴って子供部屋の数を増やしたいとか、居間を広くしたい等の要望が生じるが、全面的に間取りを変更しようとしても、居住者が容易に変更することができないという問題がある。また、業者に改装工事を依頼して間取りを変更しようとすると、そのために多大な費用が掛かるという問題がある。
【０００３】
そこで、この発明の目的は、建物内部の間仕切を簡単にかつ低コストで施工および改装できる間仕切構造を提供することにある。
【０００４】
【課題を解決するための手段】
上記目的を達成するため、請求項１に記載の間仕切構造は、建物の床面と天井面との間に立設される間仕切パネルと、上記床面に取り付けられ、上記間仕切パネルの下縁に係合するパネル取付用部材とからなる間仕切構造であって、
上記間仕切パネルは、このパネルの周縁をなす枠材と、この枠材を挟む一対の面材とを備え、上記枠材の下縁は上記面材の下辺よりも下方に突出してなり、
上記パネル取付用部材は、上記間仕切パネルの下縁に沿って長手方向に延び、上面に上記間仕切パネルの下縁を収容する断面凹状の溝を有しているとともに、上記溝を通り上記長手方向に延びる分割面で分割可能であり、かつ、このパネル取付用部材の厚みが上記間仕切パネルの厚みと略同じであり、
上記間仕切パネルの下縁とパネル取付用部材との間に、上記間仕切パネルを上記天井面へ押し付けるための押圧手段が設けられており、
上記間仕切パネルの各面材の下辺と、上記パネル取付用部材の各上端との間に、目地詰めゴムが各々設けられていることを特徴とする。
【０００５】
この請求項１の間仕切構造では、間仕切の組立時に、上記スタッドと間仕切パネルとを交互に並べて立設した状態でジョイント部材で連結すれば良いから、どの間仕切パネルからでも、またどのスタッドからでも立設して良く、立設順序の制約を受けない。また、間仕切の解体時に、どの間仕切パネルからでも、またどのスタッドからでも取り外して良く、取外し順序の制約を受けない。したがって、建物内部の間仕切の施工および改装を簡単にかつ低コストで行うことができる。
【０００６】
また、この間仕切構造では、パネル取付用部材が上記スタッドの下端および上記間仕切パネルの下縁に係合するので、建物の床面と天井面との間に上記スタッドおよび間仕切パネルが簡単に立設される。
【０００７】
また、この間仕切構造では、上記間仕切パネルの下縁が上記パネル取付用部材の断面凹状の溝に係合されるので、間仕切パネルがさらに簡単に立設される。
【０００８】
また、この間仕切構造では、上記パネル取付用部材は、上記溝を通り上記長手方向に延びる分割面で分割可能になっている。したがって、上記パネル取付用部材を上記分割面で分割した状態で、上記間仕切パネルの下縁を上記溝に収容し、再び上記パネル取付用部材を組み立てることにより、上記間仕切パネルの下縁が上記パネル取付用部材と係合される。このようにした場合、上記間仕切パネルをあまり高く持ち上げなくとも、上記間仕切パネルの下縁を容易に上記パネル取付用部材と係合できる。
【００１０】
また、この間仕切構造によれば、押圧手段によって上記間仕切パネルが上記天井面へ押し付けられて、しっかりと固定される。
【００１１】
請求項２に記載の間仕切構造は、請求項１に記載の間仕切構造において、上記押圧手段は上記パネル取付用部材に対して鉛直方向に螺合されたボルトからなることを特徴とする。
【００１２】
この請求項２の間仕切構造では、スパナ等の工具を用いて上記ボルトを回転させることにより、上記間仕切パネルを上記天井面へ簡単に押し付けることができる。
【００１３】
別の観点では、この発明の間仕切構造は、建物の床面と天井面との間に立設される四角柱状のスタッドと、上記スタッドの４側面のうち少なくとも２側面に隣接して建物の床面と天井面との間に立設される間仕切パネルと、上記スタッドと間仕切パネルとを連結するジョイント部材とからなることを特徴とする。
【００１４】
この発明の間仕切構造では、間仕切の組立時に、上記スタッドと間仕切パネルとを交互に並べて立設した状態でジョイント部材で連結すれば良いから、どの間仕切パネルからでも、またどのスタッドからでも立設して良く、立設順序の制約を受けない。また、間仕切の解体時に、どの間仕切パネルからでも、またどのスタッドからでも取り外して良く、取外し順序の制約を受けない。したがって、建物内部の間仕切の施工および改装を簡単にかつ低コストで行うことができる。
【００１５】
一実施形態の間仕切構造では、上記間仕切パネルは、このパネルの周縁をなす枠材と、この枠材を挟む一定の厚さを有する一対の面材とを備え、上記枠材の縦縁は上記面材の縦辺から横方向へ突出していることを特徴とする。
【００１６】
この一実施形態の間仕切構造の間仕切構造では、上記スタッドと間仕切パネルとを組み合わせることにより、様々な形態の間仕切りを１種類の間仕切パネルで実現できる。したがって、建物内部の間仕切の施工および改装をさらに簡単にかつ低コストで行うことができる。
【００１７】
一実施形態の間仕切構造では、上記スタッドは、その四隅にそれぞれ鉛直方向に延びる断面四角形状の切り欠きが設けてあることを特徴とする。
【００１８】
この一実施形態の間仕切構造では、スタッドの切り欠き形状のお陰で、様々な形態の間仕切を１種類のスタッドで実現できる。
【００１９】
一実施形態の間仕切構造では、上記スタッドは、その四隅にそれぞれ鉛直方向に延びる断面Ｌ字状の切り欠きが設けてあることを特徴とする。
【００２０】
この一実施形態の間仕切構造では、スタッドの切り欠き形状のお陰で、様々な形態の間仕切を１種類のスタッドで実現できる。
【００２１】
一実施形態の間仕切構造では、上記スタッドの横幅は、上記間仕切パネルの厚さと略同じ寸法に設定されていることを特徴とする。
【００２２】
この一実施形態の間仕切構造では、取付後のスタッドの側面（切り欠き以外の部分）と間仕切パネルの面材の表面とが略同一平面上に並ぶので、完成した間仕切の見栄えが良くなる。
【００２３】
一実施形態の間仕切構造では、上記切り欠きの深さは、上記間仕切パネルの面材の厚さと略同じ寸法に設定されているとともに、上記ジョイント部材は、上記面材の厚さと同じ厚さを持つ板状であり、上記間仕切パネルの枠材の上記横方向へ突出した縦縁とこの縦縁と隣り合う上記スタッドの上記切り欠きとにまたがって取り付けられることを特徴とする。
【００２４】
この一実施形態の間仕切構造では、取付後のジョイント部材が間仕切パネルの面材の縦辺とこれに対向するスタッドの切り欠き側壁との間に生じる空間に収容される。取付後のジョイント部材の室内側に向いた面は、上記スタッドの側面（切り欠き以外の部分）および間仕切パネルの面材の表面と略同一平面上に並ぶ。したがって、完成した間仕切の見栄えが良くなる。
【００２５】
一実施形態の間仕切構造では、上記床面に、上記スタッドの下端および上記間仕切パネルの下縁に係合するパネル取付用部材を取り付けたことを特徴とする。
【００２６】
この一実施形態の間仕切構造では、パネル取付用部材が上記スタッドの下端および上記間仕切パネルの下縁に係合するので、建物の床面と天井面との間に上記スタッドおよび間仕切パネルが簡単に立設される。
【００２７】
一実施形態の間仕切構造では、上記パネル取付用部材は、上記間仕切パネルの下縁に沿って長手方向に延び、上面に上記間仕切パネルの下縁を収容する断面凹状の溝を有していることを特徴とする。
【００２８】
この一実施形態の間仕切構造では、上記間仕切パネルの下縁が上記パネル取付用部材の断面凹状の溝に係合されるので、間仕切パネルがさらに簡単に立設される。
【００２９】
一実施形態の間仕切構造では、上記パネル取付用部材は、上記溝を通り上記長手方向に延びる分割面で分割可能になっていることを特徴とする。
【００３０】
この一実施形態の間仕切構造では、上記パネル取付用部材を上記分割面で分割した状態で、上記間仕切パネルの下縁を上記溝に収容し、再び上記パネル取付用部材を組み立てることにより、上記間仕切パネルの下縁が上記パネル取付用部材と係合される。このようにした場合、上記間仕切パネルをあまり高く持ち上げなくとも、上記間仕切パネルの下縁を容易に上記パネル取付用部材と係合できる。
【００３１】
一実施形態の間仕切構造では、上記間仕切パネルの下縁とパネル取付用部材との間に、上記間仕切パネルを上記天井面へ押し付けるための押圧手段が設けられていることを特徴とする。
【００３２】
この一実施形態の間仕切構造によれば、押圧手段によって上記間仕切パネルが上記天井面へ押し付けられて、しっかりと固定される。
【００３３】
一実施形態の間仕切構造では、上記押圧手段は上記パネル取付用部材に対して鉛直方向に螺合されたボルトからなることを特徴とする。
【００３４】
この一実施形態の間仕切構造では、スパナ等の工具を用いて上記ボルトを回転させることにより、上記間仕切パネルを上記天井面へ簡単に押し付けることができる。
【００３５】
一実施形態の間仕切構造では、上記床面と天井面との間に、上記間仕切りパネルと同列に着脱可能に設けられた襖用の枠と、上記襖用の枠に沿って設けられて上記襖用の枠の間口に応じた横幅を持つ棚板およびこの棚板の四隅に取り付けられた脚を有する押入台とにより構成される押入を備えたことを特徴とする。
【００３６】
この一実施形態の間仕切構造によれば、押入が簡単に構成される。
【００３７】
【発明の実施の形態】
以下、この発明を図示の実施の形態により詳細に説明する。
【００３８】
図１に示すように、間仕切１００を構築すべき建物の床面１０に、予め、間仕切パネル１を設けるべき位置を表す第１の印として一定のピッチを有する格子状パターン１１を設ける。この例では、格子状パターン１１のピッチは縦横とも５００ｍｍに設定され、格子状パターン１１をなす帯状の各ライン１１Ｌの幅は５０ｍｍに設定されている。また、床面１０の格子状パターン１１と対応させて、天井面２０に、間仕切パネル１を設けるべき位置を表す第２の印として格子状パターン１１と同じピッチ、同じライン幅を有する格子状の溝２１を設ける。この例では、格子状パターン１１の格子点（正確には１辺の長さが５０ｍｍの正方形領域）１１Ｘはスタッド２を設けるべき位置を表す。
【００３９】
このようにした場合、作業者は、床面１０に設けられた格子状パターン１１の中から任意のライン１１Ｌを選択して、その選択したライン１１Ｌに沿うようにそのライン１１Ｌ上に間仕切パネル１を立設できる。また、その選択したライン１１Ｌに含まれた格子点１１Ｘ上にスタッド２を立設できる。したがって、墨出しを行うことなく施工精度を確保できる。したがって、建物内部の間仕切の施工および改装を簡単にかつ低コストで行うことができる。また、任意のライン１１Ｌを選択できるので、間仕切パネル１を配置する自由度が増し、様々な間取りを実現できる。また、格子状パターン１１および格子状の溝２１は一定のピッチで設けられているので、施工時に、格子状パターン１１、格子状の溝２１上の基準となる位置から、床面１０、天井面２０に並ぶライン数を数えることによって目的の位置を定めることができる。例えば、互いに対向する間仕切パネル１同士の間隔を、それらの間仕切パネル１の間に並ぶライン数によって確認できる。したがって、施工がさらに簡単になる。
【００４０】
なお、上記格子状パターン１１をなす各ライン１１Ｌは、床面１０をなす複数の床パネル６１同士の境界部に設けられた帯状の模様（色彩が施されていても良い）からなっており、床面１０の形成後に別途設ける必要はない。上記格子状の溝２１は、天井面２０をなす複数の天井パネル８１同士の境界部に予め断面凹状に形成されており、天井面２０の形成後に別途設ける必要はない。したがって、建物内部の間仕切の施工および改装をさらに簡単にかつ低コストで行うことができる。また、格子状パターン１１や格子状の溝２１は、それぞれ床パネル６１同士、天井パネル８１同士の境界部に設けられているので、床面１０または天井面２０のパターンを乱すことがなく、室内の美観を損なうことはない。
【００４１】
図４（ａ），（ｂ）はこの実施形態で用いる間仕切パネル１を詳細に示している。同図（ａ）に示すように、この間仕切パネル１は、このパネルの周縁をなす木製の枠材３０と、この枠材３０を挟む一対のベニヤからなる面材４１とを備えている。同図（ｂ）に示すように、枠材３０は、左右一対の縦縁３３，３４と、縦縁３３，３４の上部をつなぐ上縁３１と、縦縁３３，３４の下部をつなぐ下縁３２と、３０ｃｍピッチで７本配置された横桟３６、…、３７、３８とからなっている。枠材３０の上縁３１と面材４１の上辺４１ａとが作る間仕切パネル１の上縁には、緩衝材としてのクッションゴム４２が貼り付けられている。枠材３０の下縁３２ａは面材４１の下辺４１ｂよりも下方へ突出しているが、中央部３２ａに対して左右両端部３２ｂ，３２ｃが若干量だけ上方へ後退した形状をしている。枠材３０の縦縁３３，３４は面材４１の縦辺４１ｃ，４１ｄからそれぞれ横方向へ突出している。この枠材３０の横幅（すなわちこの間仕切パネル１の横幅）は格子状パターン１１および格子状の溝２１のピッチ（５００ｍｍ）に応じた一定の値Ｌ＝４４７ｍｍに設定されている。したがって、格子状パターン１１および格子状の溝２１のピッチに相当する長さを最小単位として間取りを定めるものとすれば、全ての間取りに１種類の間仕切パネル１で対応できる。また、枠材３０の厚さは３９ｍｍ、各面材４１の厚さはＤ＝５．５ｍｍにそれぞれ設定され、この結果、この間仕切パネル１の全厚はＷ＝５０ｍｍに設定されている。
【００４２】
また、図２（ａ）はこの実施形態で用いるスタッド２の断面形状を示している。分かるように、このスタッド２は、正四角柱の四隅にそれぞれ鉛直方向に延びる断面Ｌ字状の切り欠き２ｖを設けた形状を有している。スタッド２の横幅は間仕切パネル１の全厚と同じ寸法Ｗ＝５０ｍｍに設定されている。また、スタッド２の切り欠き２ｖの深さは間仕切パネル１の面材４１の厚さと同じ寸法Ｄ＝５．５ｍｍに設定されている。スタッド２の四隅に切り欠き２ｖが設けられている結果、スタッド２の各側面２ａの中央部には切り欠き側壁２ｓが作る突起が生じた状態になっている。
【００４３】
また、図２（ｂ）は、上記間仕切パネル１とスタッド２とを連結するための３種類のジョイント金具３，４，５を示している。ジョイント金具３は平板状、ジョイント金具４，５は断面Ｌ字状に形成されている。ジョイント金具５はスタッド２の切り欠き２ｖと全く同一寸法に設定されている。ジョイント金具４は、取り付け易さを考慮して、ジョイント金具５の端部を４５度に仕上げたものである。これらのジョイント金具３，４，５の厚さはいずれも面材４１の厚さと同じ寸法Ｄに設定されている。なお、これらのジョイント金具３，４，５に設けられたネジ穴を図中に破線で示している。
【００４４】
上記スタッド２の切り欠き形状のお陰で、図３（ａ），（ｂ），（ｃ），（ｄ）に示すように、１種類のスタッド２と１種類の間仕切パネル１と３種類のジョイント金具３，４，５とによって様々な形態の間仕切を実現できる。
【００４５】
図３（ａ）は、２枚の間仕切パネル１を１本のスタッド２を挟んで１ライン上に配置した例を示している。図において、左側の間仕切パネル１の枠材３０の縦縁３４と、この縦縁３４と隣り合うスタッド２の切り欠き２ｖとにまたがって、表裏２枚の平板状のジョイント金具３，３を取り付けている。各ジョイント金具の連結には皿ネジ８を用いている（以下同様）。同様に、右側の間仕切パネル１の枠材３０の縦縁３３と、この縦縁３３と隣り合うスタッド２の切り欠き２ｖとにまたがって、表裏２枚の平板状のジョイント金具３，３を取り付けている。このような構造を１ライン上に複数並べて配置することによって、平坦に広がる間仕切１００を構成することができる。また、この間仕切パネルの取付構造では、取付後のジョイント金具３が間仕切パネル１の面材４１の縦辺とこれに対向するスタッド２の切り欠き側壁２ｓとの間に生じる空間に収容される。ジョイント金具３の厚さはスタッド２の切り欠き２ｖの深さおよび間仕切パネル１の面材４１の厚さと同じ寸法に設定されているので、取付後のジョイント金具３の室内側に向いた面は、スタッド２の側面２ａ（切り欠き２ｖ以外の部分）および間仕切パネル１の面材４１の表面と同一平面上に並ぶ。したがって、完成した間仕切１００の見栄えを良くすることができる。
【００４６】
図３（ｂ）は、１本のスタッド２の隣り合う側面２ａに隣接してそれぞれ間仕切パネル１を配置した例を示している。２枚の間仕切パネル１が作る内側のコーナー部に、それらの間仕切パネル１の枠材３０の縦縁３３，３４にまたがって、断面Ｌ字状のジョイント金具４を取り付けている。一方、外側のコーナー部に相当するスタッド２の切り欠き２ｖには断面Ｌ字状のジョイント金具５を取り付けている。また、外側のコーナー部に隣り合うスタッド２の２つの切り欠き２ｖと各間仕切パネル１の枠材３０の縦縁３３，３４との間にまたがって、図３（ａ）のものと同じ態様で、それぞれ平板状のジョイント金具３，３を取り付けている。取付後のジョイント金具４は各間仕切パネル１の面材４１の縦辺の間に生じる空間に収容され、取付後のジョイント金具４の室内側に向いた面は、その両側に連なる間仕切パネル１の面材４１の表面とそれぞれ同一平面上に並ぶ。取付後のジョイント金具５の室内側に向いた面は、スタッド２の側面２ａ（切り欠き２ｖ以外の部分）と同一平面上に並ぶ。このように、各ジョイント金具３，４，５の箇所に凹凸を作らないようにしているので、完成した間仕切１００の見栄えを良くすることができる。
【００４７】
図３（ｃ）は１本のスタッド２の三つの側面２ａに隣接してそれぞれ間仕切パネル１を配置した例を示している。この例では、２枚の平板状のジョイント金具３と、２枚の断面Ｌ字状のジョイント金具４とを用いている。また、図３（ｄ）は１本のスタッド２の四つの側面２ａに隣接してそれぞれ間仕切パネル１を配置した例を示している。この例では、４枚の断面Ｌ字状のジョイント金具４を用いている。どちらのの配置例も、図３（ａ），（ｂ）の配置例と同様に、各ジョイント金具３，４の箇所に凹凸を作らないようにして、完成した間仕切１００の見栄えを良くするようにしている。
【００４８】
この実施形態では、建物の内部に次のようにして間仕切１００を構築する。なお、図１中に示すように平坦な間仕切１００を構築するものとする。
【００４９】
▲１▼  間仕切１００の施工にあたって、まず作業者は、床面１０に設けられた格子状パターン１１の中から間仕切１００を設けるべきライン１１Ｌを選択する。そして、選択したライン１１Ｌ上に、クッション付き両面テープ１９を介して、ライン１１Ｌに沿って床ランナー１２（後述する巾木１３と組み合わされて第１のパネル取付用部材を構成する）を貼り付ける。
【００５０】
この床ランナー１２は、断面略Ｌ字状の細長い部材であり、その長手方向の長さは構築すべき間仕切１００の全横幅に等しく設定される。この床ランナー１２のうち格子状パターン１１の格子点１１Ｘと対応する部分に、それぞれ３本１組のアジャスターボルト１４が長手方向に並べて立設されている。各アジャスターボルト１４は、頭部を上にして床ランナー１２の溝１５に対して鉛直方向に螺合されている。３本のうち中央のアジャスターボルト１４は１本のスタッド２を天井面２０へ押し付けるために用いられ、両側のアジャスターボルト１４はそれぞれそのスタッド２の両側に並ぶ間仕切パネル１を天井面２０へ押し付けるための押圧手段として用いられる。
【００５１】
▲２▼  次に、間仕切パネル１とスタッド２とを床ランナー１２の溝１５と天井面２０の格子状の溝２１との間に立設する。
【００５２】
詳しくは、作業者が間仕切パネル１を持って、まず間仕切パネル１の上縁を天井面２０の溝２１内に挿入して係合し、続いて間仕切パネル１の下縁を床ランナー１２上に置く。このとき、間仕切パネル１の下縁の左右両端部（図４（ｂ）に示したように中央部３２ａよりも上方へ後退している部分３２ｂ，３２ｃ）がそれぞれ対応するアジャスターボルト１４上に載るように間仕切パネル１の左右方向の位置を定める。また、作業者がスタッド２を持って、まずスタッド２の上端を天井面２０の溝２１の格子点１１Ｘに挿入して係合し、続いてスタッド２の下端を床ランナー１２上に置く。このとき、スタッド２の下端が３本１組のアジャスターボルト１４のうちの中央のアジャスターボルト１４の上に載るようにする。このように、間仕切パネル１の上縁、スタッド２の上端をまず天井面２０の格子状の溝２１係合させることによって、間仕切パネル１やスタッド２を容易に立設することができる。また、床ランナー１２の溝１５の片側に巾木１３を取り付けていない状態であるから、間仕切パネル１やスタッド２をあまり高く持ち上げなくとも、間仕切パネル１の下縁やスタッド２の下端を容易に床ランナー１２上に載せることができる。
【００５３】
なお、間仕切パネル１とスタッド２とが横方向に隣接するだけで、相互に干渉しない形状となっているので、格子状パターン１１の選択したライン１１Ｌに沿って、どの位置の間仕切パネル１からでも、またどの位置のスタッド２からでも立設でき、立設順序の制約を受けない。したがって、作業者が複数人いれば、並行して立設作業を進めることができる。
【００５４】
▲３▼  次に、スパナ等の工具を用いてアジャスターボルト１４を回転させて、間仕切パネル１とスタッド２とをそれぞれ天井面２０の格子状の溝２１に押し付ける。これにより、床ランナー１２の溝１５と天井面２０の格子状の溝２１との間に間仕切パネル１とスタッド２とをそれぞれしっかりと固定する。
【００５５】
▲４▼  間仕切パネル１とスタッド２とをジョイント金具３を用いて連結する。この例のように平坦な間仕切１００を構築する場合、間仕切パネル１とスタッド２と連結状態は図３（ａ）に示した状態になる。
【００５６】
▲５▼  次に、図５に示すように、床ランナー１２に巾木１３を当接して通しボルト１７で固定する。この巾木１３の高さおよび長手方向の長さは、床ランナー１２の高さおよび長手方向の長さとそれぞれ同一寸法に設定されている。これにより、間仕切パネル１の下縁は、床ランナー１２と巾木１３とが作る断面凹状の溝１５内に収容され、床ランナー１２と巾木１３によって係合された状態となる。このようにして、間仕切パネル１を簡単に立設できる。この後、隣り合って並ぶ間仕切パネル１にまたがってクロス９を貼り付ける。そして、間仕切パネル１の各面材４１の下辺と床ランナー１２、巾木１３の各上端との間に、それぞれ目字詰めゴム１８，１８を押し込んで取り付ける。なお、床ランナー１２と巾木１３とを組み合わせたときの厚さは間仕切パネル１の全厚と同じ寸法（５０ｍｍ）に設定されている。これにより、間仕切１００の露出面が平坦となって、見栄えを良くすることができる。
【００５７】
▲６▼最後に、天井面２０の格子状の溝２１のうち間仕切１００が設置されなかったライン１１Ｌにカバープレート（図７中に符号５２で示す）を嵌め込む。これにより、室内の美観を高めることができる。
【００５８】
このようにして、建物内部の間仕切の施工を簡単にかつ低コストで行うことができる。
【００５９】
間取りを変更する場合は、間仕切１００を上記と全く逆の手順で分解して、簡単に移設することができる。分かるように、間仕切パネル１とスタッド２とが横方向に隣接するだけで、相互に干渉しない形状となっているので、どの位置の間仕切パネル１からでも、またどの位置のスタッド２からでも取り外しでき、取外し順序の制約を受けない。また、間仕切１００の施工に用いたいずれの部材も再利用でき、新たな部材を要しない。したがって、建物内部の間仕切の改装を低コストで行うことができる。
【００６０】
図１８（ａ），（ｂ）は別の形態のスタッド２Ｂを用いて構成した間仕切を示している。この実施形態では、正四角柱の四隅にそれぞれ鉛直方向に延びる断面正方形状の切り欠き２ｃを設けた形状を持つスタッド２Ｂを用いている。図１８（ａ）の例では、２枚の間仕切パネル１を１本のスタッド２Ｂを挟んで１ライン上に配置している。一方、図１８（ｂ）の例では、１本のスタッド２Ｂの三つの側面２ａに隣接してそれぞれ間仕切パネル１を配置している。上記スタッド２Ｂの横幅は、先のスタッド２と同様に、間仕切パネル１の全厚と同じ寸法Ｗ＝５０ｍｍに設定されている。また、スタッド２Ｂの切り欠き２ｃの深さは間仕切パネル１の面材４１の厚さと同じ寸法Ｄ＝５．５ｍｍに設定されている。この断面正方形状の切り欠き２ｃを設けた形状を持つスタッド２Ｂによっても、様々な形態の間仕切りを実現できる。また、ジョイント金具３Ａは、先のジョイント金具３と同様に平板状であり、その厚さは面材４１の厚さと同じ寸法Ｄに設定されている。したがって、ジョイント金具３Ａの箇所に凹凸が生じるのを防止でき、完成した間仕切の見栄えを良くすることができる。なお、図３（ａ），（ｂ），（ｃ），（ｄ）の例では各ジョイント金具を皿ネジ８で連結したが、図１８（ａ），（ｂ）中に示すように、互いに対向するジョイント金具３Ａ，３Ａ；４，４；４，３Ａをそれぞれ通しボルト８Ａとナット８Ｂとで連結しても良い。通しボルト８Ａは、図示のように間仕切パネル１の縦縁３３または３４を貫通しても良く、また、スタッド２Ｂのジョイント金具に挟まれた突起部分を貫通しても良い。
【００６１】
図６は、上述の間仕切１００が設けられた建物の天井面２０を下方から見たところを示している。なお、理解の容易のために、後述するカバープレート５２を省略して描いている。
【００６２】
この例では、間仕切１００は図６において左端のライン（斜線を付している）に設けられている。この間仕切１００が通る或る格子点Ｘ１に、上述のスタッド２に代えて、内部に鉛直方向に延びる空洞を有するスタッド２Ａを設けている。また、別の格子点Ｘ３に、室内照明器具のための引掛シーリング５８を設けている。図９の立面図に示すように、上記スタッド２Ａには、室内照明器具用のスイッチ５７と、室内電気設備のためのコンセント５３とを設けている。図１０の平面図に示すように、コンセント５３の本体５３ｂはスタッド２Ａの側面を貫通し、コンセント５３のパネル部５３ａが室内に面している。そして、図９に示すように、一端にコネクタ５４ｍを取り付けた電気配線５０ｂを上記スタッド２Ａの内部の空洞に鉛直方向に挿通してコンセント５３の本体５３ｂに接続している（簡単のため、スイッチ５７のための電気配線は図示を省略している）。また、図８の断面図に示すように、上記引掛シーリング５８は、天井の野縁（のぶち）２９の直下に図示しないネジで取り付けている。この引掛シーリング５８には、一端にコネクタ５５ｍを取り付けた電気配線５１ｂを接続している。
【００６３】
一方、図６中に示すように、天井ふところ内の格子点Ｘ８上の位置にアダプタボックス５９を配置している。このアダプタボックス５９は、図示しない分電盤からの電力を中継して、室内電気設備のための電気配線に電力を供給するためのものである。詳しくは、このアダプタボックス５９には、照明用、照明スイッチ用、クーラー用、その他の用途に供される一般用といった各種の差込口が装備されている。作業者は、接続すべき各電気配線の用途に応じて、アダプタボックス５９内の必要な差込口を選択する。このようなアダプタボックスは天井ふところ内の複数箇所に配置されている。したがって、間取りの変更に伴って各部屋の区画が変更されても、最寄りの位置にあるアダプタボックスを適宜選択して対応し得るようになっている。なお、分電盤には、実際に使用されるアダプタボックスの回路のみを接続する。この例では、アダプタボックス５９の近傍の格子点Ｘ７，Ｘ９に、それぞれ天井面２０を貫通する開口２２，２３が設けられている。
【００６４】
引掛シーリング５８用の電気配線５１ａは、このアダプタボックス５９から天井裏を通って開口２３へ向かって延び、この開口２３を通して天井面２０へ出て、格子点Ｘ３の近傍まで溝２１に沿って延びている。この電気配線５１ａの端部にはコネクタ５５ｆが取り付けられている。この電気配線５１ａのコネクタ５５ｆが、上記引掛シーリング５８に接続された電気配線５１ｂのコネクタ５５ｍと接続されている（接続された両コネクタを符号５５で示す）。したがって、アダプタボックス５９から電気配線５１ａ，５１ｂを通して引掛シーリング５８に電力が供給される。この電気配線５１ａのうち天井裏に配置された部分（図中に破線で示す）の長さに、間取りの変更のための十分な余裕が設けられている点が注目される。電気配線５１ａのうち天井面２０に配置された部分、電気配線５１ｂおよびコネクタ５５は、断面凹状の溝２１内に収容されている。詳しくは図７に示すように、溝２１内に、この溝２１の形状に対応した断面凹状の保持部材５６を図示しないネジで取り付けている。この保持部材５６の縁部には、カバープレート５２を係合するための爪５６ａを形成している。この保持部材５６内に電気配線５１ａ，５１ｂやコネクタ５５を収容（図７は図６におけるＡ−Ａ線断面であり、電気配線５１ａのみ示す）して、保持部材５６の爪５６ａに、略平板状のカバープレート５２の縁部に設けた爪５２ａを係合して、電気配線５１ａ，５１ｂやコネクタ５５をカバープレート５２で覆うようにしている。これにより、電気配線５１ａ，５１ｂやコネクタ５５が室内の美観を損なうのを防止できる。
【００６５】
コンセント５３用の電気配線５０ａは、このアダプタボックス５９から天井ふところを通って開口２２へ向かって延び、この開口２２を通して天井面２０へ出て、格子点Ｘ１の近傍まで溝２１に沿って延びている。この電気配線５０ａの端部にはコネクタ５４ｆが取り付けられている。この電気配線５０ａのコネクタ５４ｆが、上記スタッド２Ａを通して延びる電気配線５０ｂのコネクタ５４ｍと接続されている（接続された両コネクタを符号５４で示す）。したがって、アダプタボックス５９から電気配線５０ａ，５０ｂを通してコンセント５３に電力が供給される。この電気配線５０ａのうち天井裏に配置された部分（図中に破線で示す）の長さに、間取りの変更のための十分な余裕が設けられている点が注目される。これらの電気配線５０ａのうち天井面２０に配置された部分、電気配線５０ｂおよびコネクタ５４は、上記引掛シーリング５８用のものと全く同じ態様で、断面凹状の溝２１内に収容されている。
【００６６】
なお、カバープレート５２は、電気配線やコネクタを配置したラインだけでなく、格子状の溝２１の全域にわたって取り付ける。これにより、室内の美観が損なわれるのを防止できる。
【００６７】
さて、図６に対応した図１１に示すように、居住者が間取りの変更を希望して、間仕切１００を図において中央のライン（斜線を付している）に移設するものとする。これに伴って、スタッド２Ａを格子点Ｘ１から格子点Ｘ２へ移設するとともに、引掛シーリング５８を格子点Ｘ３から格子点Ｘ４へ移設するものとする。このように間取りを変更する場合、電気配線５０ａ，５０ｂ，５１ａ，５１ｂを次のようにして移設する。
【００６８】
▲１▼  間仕切１００の移設に先だって、天井面２０の格子状の溝２１を覆うカバープレート５２を取り外す。
【００６９】
▲２▼  次に、図６中に示したコネクタ５４ｆ，５４ｍの接続を解除して電気配線５０ａ，５０ｂを互いに分離するとともに、コネクタ５５ｆ，５５ｍの接続を解除して電気配線５１ａ，５１ｂを互いに分離する。
【００７０】
▲３▼  次に、図１１に示すように、間仕切１００を図中の中央のラインに移設するとともにスタッド２Ａを格子点Ｘ１から格子点Ｘ２へ移設する。上記スタッド２Ａは容易に取り外せるので、電気配線５０ｂとともにスイッチ５７やコンセント５３を容易に移設できる。スタッド２Ａの移設の結果、スタッド２Ａに接続されている電気配線５０ｂの端部のコネクタ５４ｍは、格子点Ｘ２近傍に出た状態となる。一方、引掛シーリング５８を格子点Ｘ３から格子点Ｘ４へ移設する。引掛シーリング５８に接続されている電気配線５１ｂの端部のコネクタ５５ｍは、格子点Ｘ４近傍に存在する状態となる。
【００７１】
▲４▼  コンセント５３用の電気配線５０ａを開口２２から格子点Ｘ２へ溝２１上の最短経路に沿って配置する。このとき、必要に応じて、電気配線５０ａのうち天井裏に配置された部分を開口２２を通して天井面２０側へ引き出す。電気配線５０ａの長さが余れば、余分を適宜天井裏へ戻す。そして、電気配線５０ａの端部のコネクタ５４ｆを、格子点Ｘ２近傍に出ている電気配線５０ｂの端部のコネクタ５４ｍと接続する。これにより、アダプタボックス５９から電気配線５０ａ，５０ｂを通してコンセント５３に電力が供給される。同様に、引掛シーリング５８用の電気配線５１ａを開口２３から格子点Ｘ４まで溝２１上の最短経路に沿って配置する。このとき、必要に応じて、電気配線５１ａのうち天井裏に配置された部分を開口２３を通して天井面２０側へ引き出す。電気配線５１ａの長さが余れば、余分を適宜天井裏へ戻す。そして、電気配線５１ａの端部のコネクタ５５ｆを、格子点Ｘ４近傍にある電気配線５１ｂの端部のコネクタ５５ｍと接続する。これにより、アダプタボックス５９から電気配線５１ａ，５１ｂを通して引掛シーリング５８に電力が供給される。
【００７２】
▲５▼  電気配線５０ａのうち天井面２０に配置された部分、電気配線５０ｂおよびコネクタ５４を、断面凹状の溝２１内に収容する。同様に、電気配線５１ａのうち天井面２０に配置された部分、電気配線５１ｂおよびコネクタ５５を、断面凹状の溝２１内に収容する。そして、再び溝２１にカバーを取り付ける。
【００７３】
このように、溝２１が天井面２０に格子状に形成されているので、間取りの変更に伴って電気配線の配置経路を簡単に変更することができる。また、既設の部材を再利用でき、新たな部材を要しない。したがって、間取りを変更する場合に電気工事を簡単にかつ低コストで済ませることができる。
【００７４】
また、天井面２０は複数の天井パネル８１を組み合わせて構成されているので、間取りを変更する場合、開口２２，２３の位置が不適切なため既設の電気配線の長さが足りなければ、延長コードを追加する以外に、必要に応じて天井パネル８１を取り外して、電気配線を通すための開口の位置を移動させることもできる。したがって、電気工事をさらに簡単に行うことができる。
【００７５】
なお、図１７（ａ），（ｂ）に示すように、或る１個の天井パネルを設けるべき領域にアダプタボックス（符号１４０で示す）を内蔵しても良い。同図（ａ）はアダプタボックス１４０を設けた箇所の鉛直断面を示し、同図（ｂ）はそのアダプタボックス１４０を下方から見たところを示している。図１７（ａ）から分かるように、このアダプタボックス１４０は、後部にフランジ１４０ｆを有する略直方体状の本体１４０ｂを備えている。アダプタボックス１４０の前面１４０ａには、電気配線のための差込口１４１が複数配設されている。これらの差込口１４１は電気配線１４２によって分電盤に接続されている。このアダプタボックス１４０を取り付けるために、天井面２０に１個の天井パネルと略同じ平面寸法を持つ取付枠１４３を嵌め込み、この取付枠１４３内にアダプタボックス１４０の本体１４０ｂを挿入して、取付枠１４３の上面にフランジ１４０ｆが係止されるようにしている。この結果、アダプタボックス１４０の前面１４０ａが室内に面する状態となっている。ただし、室内の美観が損なわれるのを防止するために、このアダプタボックス１４０や取付枠１４３を、１個の天井パネルと略同じ平面寸法を持つカバープレート（大）１４４で覆うようにしている。図１７（ｂ）中に示すように、アダプタボックス１４０の前面１４０ａには、「照明」「スイッチ」「一般」「クーラー」などの、各差込口１４１の用途を表示している。作業者はこの表示を見て、例えば引掛シーリングにつながる電気配線５１のプラグ５１ｐを「照明」用の差込口１４１に接続することができる。これにより、各電気配線の誤接続を防止できる。また、万一誤接続があったとしても、天井面２０からカバープレート（大）１４４を取り外して、アダプタボックス１４０の前面１４０ａにおける電気配線の接続状態を検査することにより、容易に対処できる。しかも、カバープレート（大）１４４の存在により、アダプタボックス１４０の位置が室内から一目で分かる。したがって、間取りを変更する場合に、電気配線の配置計画、つまり電気配線を設けるべき経路を容易に決定することができる。
【００７６】
なお、床面１０に格子状の溝を形成し、その溝内に電気配線を配置しても良い。その場合も、電気配線を天井面２０の溝２１に配置したのと同様の効果を得ることができる。
【００７７】
図１２は上記建物の床の構造を示している。
【００７８】
和室では、床下スラブ９０上にスタイロフォーム９１を敷き詰めて、その上に畳９２を設けている。一方、洋室では、床下スラブ９０上には、複数の床ユニット６０を隙間なく並べて配置している。
【００７９】
この床ユニット６０は、正方形の木質系の床パネル６１と、この床パネル６１を支持する金属製あるいは樹脂製のベース部材６２と、このベース部材６２の四隅に取り付けられた脚６３を有している。図１３（ｂ）の断面図に示すように、上記脚６３は、外周面にネジが切られた略円柱状の金属製の軸部６３ｂを有している。この軸部６３ｂの上端には、矩形のソケット穴６３ａが形成される一方、この軸部６３ｂの下端にはクッションゴム６３ｃが取り付けられている。この脚６３の軸部６３ｂは、ベース部材６２のコーナー部に鉛直方向に形成されたネジ穴６２ｂに進退可能に螺合されている。床パネル６１はベース部材６２上にクッションゴム６４を挟んで取り付けられている。床パネル６１とクッションゴム６４のコーナー部には、ベース部材６２のネジ穴６２ｂと１列に並ぶ貫通穴７０が形成されている。したがって、図１２中に示すように、作業者は、上方からこの貫通孔７０を通してレンチ７１を軸部６３ｂのネジ穴６３ａに嵌合し、レンチ７１を回転させることによってベース部材６２に対して脚６３を出没させることににより、各床ユニット６０の高さを調整することができる。
【００８０】
図１３（ａ）に示すように、各床ユニット６０は、床パネル６１の外周端面に設けられた緩衝材６５を挟んでコーナー部が互いに突き合わされた状態に並べられている。そして、４台の床ユニット６０のコーナー部が１つの格子点１１Ｘを構成している。互いに突き合わされた４台の床ユニット６０のコーナー部にまたがって、床ユニット６０間の高さの違いを解消するための目違い調整プレート６６を４本の皿ネジ６９を用いて取り付けている。図１３（ｂ）に示すように、さらにこの上に、木製ビス６８を用いて木製化粧プレート６７を取り付けている。この木製化粧プレート６７の平面寸法は、格子点１１Ｘの平面寸法と同じ値（５０ｍｍ×５０ｍｍ）に設定されている。また、木製化粧プレート６７の厚さは、取り付け後にその上面が床パネル６１の上面と同一平面上に並ぶように設定されている。これにより、平坦な床面１０を構成できるとともに、室内の美観が損なわれるのを防止できる。なお、図１２中に示すように、目違い調整プレート６６や木製化粧プレート６７はドライバ７２を用いて取り付けることができ、特殊な工具を用いる必要はない。
【００８１】
上述のように高さ調整が可能な床ユニット６０を設けることによる利点は次の通りである。例えば、洋室が和室に隣接している場合、洋室の床面１０の高さを和室の畳表の高さに揃えることができる。したがって、いわゆるバリアフリー（段差なし）を実現できる。また、床下スラブ９０（または地面）の或る領域と別の領域との間、例えば洋室および和室の領域とその住宅の水廻り領域との間で高さの違い（段差）がある場合、その段差を吸収するようにそれらの領域間で床ユニット６０の脚６３の長さを変えて設定する。これにより、その住宅内の全ての領域で床面の高さを揃えることができると共に、床下に形成された空間を、台所、トイレ、洗面台等の水廻り施設の各種配管スペースとして利用することができ、上記水廻り施設の変更も可能となる。さらに、和室から洋室またはその逆の変更にも容易に対応することができる。
【００８２】
なお、図１４中に示すように、箱状のベース部材６２Ａを有する床ユニット６０Ａを採用しても良い。この場合、ベース部材が脚を保持する強度を高めることができ、床ユニットの高さをより高く設定することができる。したがって、より大きな段差を解消することができる。
【００８３】
以上の実施形態では、床面１０に設ける第１の印として、図１５（ａ）に示すような一定の幅を持つラインが交差する格子状パターン１１を採用したが、当然ながらそれに限られるものではない。図１５（ｂ）に示すように、格子点１１Ｘのみが幅（５０ｍｍ×５０ｍｍ）を持ち、残りのライン１１Ｂは床パネル６１同士の境界線であっても良い。また、図１５（ｃ），（ｄ）に示すように、格子点１１Ｘと残りのライン１１Ｃ，１１Ｄとの間でコントラストを付けても良い。図１５（ｃ）は床パネル６１の内部領域に格子点１１Ｘと同じ色彩を施したもの、図１５（ｄ）は床パネル６１の内部領域に短冊状の模様を施したものである。
【００８４】
また、第１および第２の印をそれぞれ床面１０、天井面２０に点状に形成しても良い。この場合、間仕切パネル１は、この間仕切パネル１の下縁が床面１０の隣り合う第１の印を通るとともに、この間仕切パネル１の上縁が天井面２０の隣り合う第２の印を通るように配置される。同様に、第１および第２の印を単なる線状に形成しても良い。
【００８５】
また、床面１０の第１の印または天井面２０の第２の印を凸状に形成し、この凸状の印に対応する間仕切パネルの下縁または上縁を凹状に形成して、上記凸状の印と間仕切パネルの凹状の下縁または上縁とを係合させるようにしても良い。
【００８６】
また、第１および第２の印の少なくとも一方は床面１０または天井面２０に貼り付けて設けても良い。その場合、床面１０、天井面２０の形成後に第１、第２の印を簡単に取り付けることができる。
【００８７】
図１６（ａ）は上述の間仕切１００とともに採用可能な押入の構造を示している。この押入は次のようにして構成する。
【００８８】
▲１▼  まず、床下スラブ９０の上に、襖用の枠１０１に沿って床用パネル１０２を設ける。図１６（ｂ）に示すように、床用パネル１０２の本体１０４の四隅に設けたアジャスタ１０５を適宜回転させて、床用パネル１０２を水平な姿勢にする。なお、床用パネル１０２の四隅にはそれぞれダボ穴１０６が形成されている。
【００８９】
▲２▼  次に、床用パネル１０２上に押入台１０３を取り付ける。この押入台１０３は、床用パネル１０２と同じ寸法を持つ棚板１０７と、この棚板１０７の四隅にそれぞれ取り付けられたスチール製の脚１０８を有している。１１０は補強用のスチール製フレームである。この押入台１０３の脚１０８の下端に設けたダボ１０８ｂを床用パネル１０２のダボ穴１０６にそれぞれ嵌合する。これにより、押入の下段を構成する。なお、棚板１０７の四隅にはそれぞれダボ穴１０９が形成されている。
【００９０】
▲３▼  次に、図１６（ａ）に示すように、押入の下段を構成する押入台１０３の上に、押入の上段および天袋を構成するために、もう一つの押入台１０３を取り付ける。すなわち、後者の押入台１０３の脚１０８の下端に設けたダボ１０８ｂを、下段を構成する前者の押入台１０３のダボ穴１０９にそれぞれ嵌合する。
【００９１】
▲４▼  次に、床面１０と天井面２０との間に、間仕切１００と同列に襖用の枠１０１を設ける。なお、間仕切１００は建物の壁１２０に沿って設けられている。
【００９２】
このようにした場合、押入を簡単に構成できる。また、押入の分解は組立てと逆の手順で行えば良く、押入の移設も容易である。
【００９３】
【発明の効果】
以上より明らかなように、本発明の間仕切構造によれば、建物内部の間仕切を簡単にかつ低コストで施工および改装できる。
【図面の簡単な説明】
【図１】この発明により建物内部に間仕切を構築する状態を示す図である。
【図２】上記間仕切を構成するのに用いるスタッドとジョイント金具を示す図である。
【図３】様々な間仕切パネルの配置構造を示す図である。
【図４】上記間仕切を構成するのに用いる間仕切パネルを示す図である。
【図５】間仕切の取付構造を示す図である。
【図６】電気配線の配置構造を示す図である。
【図７】電気配線を天井面の溝内に収容した状態を示す図である。
【図８】室内照明器具用の引掛シーリング近傍の配線状態を示す図である。
【図９】スイッチとコンセントを設けたスタッドを示す立面図である。
【図１０】上記スタッドの平面図である。
【図１１】図６の電気配線を移設した状態を示す図である。
【図１２】上記建物の床の構造を示す図である。
【図１３】複数並ぶ床ユニット同士の境界部を示す図である。
【図１４】別の床ユニットを複数並べた状態を示す図である。
【図１５】格子状パターンの様々な態様を示す図である。
【図１６】押入の構造を示す図である。
【図１７】天井パネルを設けるべき領域にアダプタボックスを配置した状態を示す図である。
【図１８】間仕切パネルの配置構造の別の例を示す図である。
【符号の説明】
１  間仕切パネル
２，２Ａ，２Ｂ  スタッド
３，３Ａ，４，５  ジョイント金具
１０  床面
１１  格子状パターン
１１Ｘ，Ｘ１，Ｘ２，Ｘ３，Ｘ４，Ｘ７，Ｘ８，Ｘ９  格子点
１２  床ランナー
１３  巾木
２０  天井面
２１  格子状の溝
５０ａ，５０ｂ，５１ａ，５１ｂ  電気配線
６０  床ユニット
６１  床パネル
８１  天井パネル
【図１】
0003629027.tif 000002
【図２】
0003629027.tif 000003
【図３】
0003629027.tif 000004
【図４】
0003629027.tif 000005
【図５】
0003629027.tif 000006
【図６】
0003629027.tif 000007
【図７】
0003629027.tif 000008
【図８】
0003629027.tif 000009
【図９】
0003629027.tif 000010
【図１０】
0003629027.tif 000011
【図１１】
0003629027.tif 000012
【図１２】
0003629027.tif 000013
【図１３】
0003629027.tif 000014
【図１４】
0003629027.tif 000015
【図１５】
0003629027.tif 000016
【図１６】
0003629027.tif 000017
【図１７】
0003629027.tif 000018
【図１８】
0003629027.tif 000019